(57)【要約】【課題】水量が減っても水勢が維持された状態での吐水が可能で、錆びの発生がなく、耐摩耗性に優れ、その上、加工が容易で低コストであり、さらには、衛生的な節水具を提供すること。【解決手段】水道蛇口内に装着する節水具１０であって、セラミックス製のコマ１を有し、コマ１は円筒状体に形成され、その内面には、導水口１１から流水方向の中心部１５に向かって順次縮径する絞り導水部１３が形成されるとともに、中心部１５から吐出側に向かって順次拡大して吐出口１２に至る拡大吐水部１４が形成され、全体としてコマ１の内面が鼓状の曲面に形成された節水具１０である。絞り導水部１３では水量は抑えられるが、スムーズに導水されて水流ｃが加速し、中心部１５を通過後、拡大吐水部１４においては極めて微細な気泡が発生して、吐出する水流ｃ中に一様に分散されて吐出口１２からは見掛けの水量は増大し、強い水勢の供給水となる。【選択図】図４
0003130625.tif 000002
【実用新案登録請求の範囲】
【請求項１】
水道蛇口内に装着する節水具であって、
セラミックス製のコマを有し、
前記コマは円筒状体に形成され、その内面は導水口から流水方向の中心に向かって順次縮径し、前記中心から吐出側に向かって順次拡大して吐出口に至る鼓状の曲面に形成されている節水具。
【考案の詳細な説明】
【技術分野】
【０００１】
本考案は、上水道の節水のために蛇口に装着して使用する節水具に関する。
【背景技術】
【０００２】
この節水具は、従前から、図５に示すような金属製のコマａを図６に示すように取り付け用ケースｂ内に収納したもので、これを水道コックに取り付けられた蛇口水道管Ａ内に装着して流量を低減するものである。
【０００３】
この従来の節水具は、実質的には、蛇口の流水道に邪魔板を配置して流量を低減するだけの構造であるので、節水具を出た水は、図６に示すように水勢のない水流ｃになるとともに、コマａの下面に発生する真空によるダンピングによって水流ｃは不安定になるという欠点がある。
【０００４】
また、この節水具として、下記特許文献１には、内径をテーパ状に連続的に縮径した加圧ノズルを設け、その下流側に複数の孔を有する拡散口目皿を設けた構造とし、これを蛇口先端に設置し、これによって通常の水道水を水束状に放水するようにしたものが開示されている。  
【０００５】
しかしながら、この節水具は、加圧ノズルによって、水量が減っても水勢は得られるものの、水道の吐出に際しては吐出水の分散が大きく、しかもそのままの状態では、蛇口の基部に取り付けることはできず、仮に、加圧ノズルのみを蛇口の基部に取り付けたにしてもその直下は急激に広がっているために、その広がり部分に発生する真空状態により、吐出水流の不均一化は免れない。
【特許文献１】特開２０００−３１４１６１号公報
【考案の開示】
【考案が解決しようとする課題】
【０００６】
このように従来の節水具は、何れも実質的には蛇口を出た吐出流の流速が遅く、節水はできても水勢が弱くなり、手洗いその他の用途には不便であるという欠点があり、加えて、金属製のコマを有する節水具は、錆びやすく、また、加工に手間を要し、高コストであり、また、プラスチック製のものは摩耗し易い等の欠点がある。
【０００７】
本考案は、水量が減っても水勢が維持された状態での吐水が可能で、錆びの発生がなく、耐摩耗性に優れ、その上、加工が容易で低コストであり、さらには、衛生的な節水具を提供するものである。
【課題を解決するための手段】
【０００８】
本考案の節水具は、水道蛇口内に装着する節水具であって、セラミックス製のコマを有し、前記コマは円筒状体に形成され、その内面は導水口から流水方向の中心に向かって順次縮径し、前記中心から吐出側に向かって順次拡大して吐出口に至る鼓状の曲面に形成されていることを特徴とする。
【０００９】
すなわち、本考案の節水具を構成するコマは円筒形をなし、その内面は導水口から流水方向に順次縮径した後、吐出口に向かって順次拡大する鼓状の曲面を形成したもので、言い換えれば、流水方向に表面状態が滑らかな絞り導水部と拡大吐水部を順に形成したものである。
【００１０】
本考案の節水具による節水率、すなわち水道管から蛇口に流入する水道水が節水具の吐出口から流出する割合は、内面の縮径比率、すなわち絞り込みの程度により、また、水勢の低下の防止は前記曲面の曲率、すなわち、コマの内面の長さおよび絞りの程度に左右される。
【００１１】
実験によれば、節水率を２０％に、吐水口における水勢の低下量を最小にするためには、コマの長さを１６±３ｍｍ程度とし、その流水方向の中心における絞り込み部の内径を導水口のほぼ半分とし、さらに、吐出口の内径を導水口とほぼ同等にするのがよい。
【００１２】
本考案の節水具は、取り付け金具、ゴムのようなパッキング等の取り付け具によって、水道の蛇口の基部または先端に取り付けられる。
【００１３】
本考案でセラミックス製とは、１２８０℃〜１３００℃程度で焼成される一般の磁器のように、表面が一般磁器並の滑かさを有する「焼き物」を意味する。
【考案の効果】
【００１４】
従来のコマの内径を絞り込んだだけの節水具では、内面の水抵抗によって水頭圧が低下するのに対して、本考案の節水具を構成するコマには、表面状態が滑らかな絞り導水部と拡大吐水部が形成されていることで、絞り導水部では水量は抑えられるが、スムーズに導水されて水流が加速し、極めて微細な気泡が拡大吐水部に発生して、吐出する水流中に一様に分散されて吐出口からは見掛けの水量は増大し、強い水勢の供給水となる。
【００１５】
また、本考案の節水具を構成するコマは、いわゆるセラミックス製であるので、成形型により簡単に縮み代を考慮して一体成形後、焼成するだけで簡単に成形できる。
【００１６】
そして、セラミックス製のコマは、その外面に伸縮性に優れたシリコーンゴム製等のライナーを取り付けて、蛇口内面に装着して使用することもできるし、また、その内面に装着具を取り付けて、蛇口先端の吐出孔に装着できるようにすることもできる。
【００１７】
さらに、本考案のセラミックス製の節水具は、コマの内面の絞りの程度によって節水の程度を調整することも可能である。
【００１８】
このことを利用して、絞りの程度の異なるものを複数種類準備しておき、これらの絞りの異なる節水具を、ビル、マンション等の屋上に設置した水タンクからの各階への給水に際して、各階の水頭ヘッドの低下毎に、絞りの程度の小さい節水具を水道蛇口に配置することによって、各階毎に同等に節水され、同様の水勢を有する節水水量を得ることに利用することもができる。
【考案を実施するための最良の形態】
【００１９】
本考案に係る節水具を、家庭用メータ設置の管部における水圧が、０．１５〜０．２ＭＰａで、最大水量が４０．１Ｌ／ｍｉｎの管径が１３ｍｍの水道管に取り付けられたコックの先端の蛇口水道管に適用し、毎分１０Ｌで水圧が０．１０ＭＰａ程度の節水状態を得るために適用した実施例について説明する。
【実施例】
【００２０】
図１は本考案の節水具の外観を示す。
【００２１】
同図に示すように、本考案の節水具１０は、外径Ｄが１０ｍｍで長さＬが１６ｍｍの円筒形の磁器製のコマ１と、その外側面を覆う弾性シリコーンラバー製の取り付け具２とからなる。コマ１の一端には外径が１５ｍｍの鍔部１ａが形成されており、この鍔部１ａの外径と取り付け具２の外径とが一致するように取り付け具２の厚さを設定している。コマ１の内面は、同図の点線によって示すように、その長さ方向（流水方向）の中心部分を曲面で鼓状に絞り込んだ形状をなす。
【００２２】
図２は、図１の磁器製のコマ１の内面を縦方向の断面によって示す。
【００２３】
同図に示すように、導水口１１と吐出口１２の内径ｄ１は、ほぼ１１．５ｍｍ、コマ１の内面の長さ方向の中心部を最大絞り込みとし、その内径ｄ２は、導水口１１と吐出口１２の内径ｄ１の半分の６ｍｍとした鼓状の曲面としている。
【００２４】
図３は、節水具１０の取り付け状態を示す。
【００２５】
同図に示すように、水道コックＢに取り付けられた蛇口水道管Ａ基部の内面にコマ１外側面の弾性シリコーンラバー製の取り付け具２を密着させて装着している。その装着および取り外しは、水道コックＢを閉め、この水道コックＢに取り付けられた蛇口水道管Ａをモンキースパナなどを用いて外すことによって行うことができる。
【００２６】
図４は、節水具１０の取り付け状態における流入水道水の態様を示す。
【００２７】
同図に示すように、コマ１の内面には表面状態が滑らかな絞り導水部１３および拡大吐水部１４がそれぞれ中心部１５の上流側および下流側に形成されているいることで、絞り導水部１３では水量は抑えられるが、スムーズに導水されて水流ｃが加速し、最大絞り込み部である中心部１５を通過後、拡大吐水部１４においては極めて微細な気泡が発生して、吐出する水流ｃ中に一様に分散されて吐出口１２からは見掛けの水量は増大し、強い水勢の供給水となる。
【産業上の利用可能性】
【００２８】
本考案の節水具は、家庭用の炊事用の水道蛇口用に限らず、水圧の低下が小さいため、洗面・洗髪用・シャワー用に適用しても不自由を感じることはない。
【図面の簡単な説明】
【００２９】
【図１】本考案の節水具の斜視図を示す。
【図２】本考案の節水具の縦方向の断面を示す。
【図３】本考案の節水具の取り付け状態を示す。
【図４】本考案の節水具による流入水道水の態様を示す。
【図５】従来の節水具を示す。
【図６】従来の節水具による流入水道水の態様を示す。
【符号の説明】
【００３０】
１０  節水具
１  コマ
１１  導水口
１２  吐出口
１３  絞り導水部
１４  拡大吐水部
１５  中心部
２  取り付け具
Ａ  蛇口水道管
Ｂ  水道コック
【図１】
0003130625.tif 000003
【図２】
0003130625.tif 000004
【図３】
0003130625.tif 000005
【図４】
0003130625.tif 000006
【図５】
0003130625.tif 000007
【図６】
0003130625.tif 000008